(57)【要約】【課題】微細な粉末状で排出される遺骨を全て収集してから排出することで、遺骨が損失されることを防止する遺骨粉末収集装置を提供する。【解決手段】空気排出口、遺骨粉末の流入口及び遺骨排出口が形成されたホッパー；前記ホッパーの内部に設置され、遺骨粉末を収集するように形成されたフィルター；前記ホッパーの内部の空気を吸入するように形成された排気ファン；前記フィルターに収集された遺骨粉末を振り落とすように形成されたパルスユニット；及び前記ホッパーの遺骨排出口を開閉するように形成された抽出バルブ；を含んでなる。【選択図】図１
2009195673.tif 000002
【特許請求の範囲】
【請求項１】
上部に空気排出口が形成され、一側には粉砕された遺骨粉末の流入口が形成され、下側には遺骨排出口が形成され、流入した微細粉末状の遺骨を収容するように形成されたホッパー；
前記ホッパーの空気排出口をカバーし、ホッパーの内部に深く設置され、その外面にホッパーの内部で浮遊する微細粉末状の遺骨を収集するように形成されたフィルター；
前記ホッパーの上側に設置され、フィルターを介してホッパーの内部の空気を吸入するように形成された排気ファン；
前記フィルターと排気ファンの間に設置され、フィルターにパルスを発生させることで、収集された遺骨粉末を振り落とすように形成されたパルスユニット；及び
前記ホッパーの遺骨排出口を開閉して、収容された微細粉末状の遺骨を排出するように形成された抽出バルブ；を含んでなることを特徴とする、遺骨粉末収集装置。
【請求項２】
前記パルスユニットは、
空気圧を発生させるように形成されたエアタンク；
前記空気圧を開閉するためのパルスバルブ；及び
前記パルスバルブから連結され、前記フィルターに空気圧を排出するように多数のノズルが形成されたパルス管；を含んでなることを特徴とする、請求項１に記載の遺骨粉末収集装置。
【請求項３】
前記抽出バルブは、
前後作動によって前記ホッパーの下端の排出口を開閉するための開閉板；及び
前記開閉板を前後に作動させるためのエアユニット；を含んでなることを特徴とする、請求項１に記載の遺骨粉末収集装置。
【請求項４】
前記抽出バルブは、遺骨が隙間に詰まって停滞することを防止するためのバタフライ形に形成されることを特徴とする、請求項１に記載の遺骨粉末収集装置。
【請求項５】
前記排気ファンを一定時間作動させて、フィルターに収集された遺骨粉末を一定時間停滞させ、前記パルスユニットを作動させて、収集された遺骨粉末をフィルターから振り落とし、前記抽出バルブを作動させてホッパーから遺骨粉末を排出する一連の作動を制御するための制御部を含んでなることを特徴とする、請求項１に記載の遺骨粉末収集装置。
【請求項６】
前記遺骨を収容し、流入口、遺骨排出口及び空気排出口を含むホッパーの内部全体には、微細粉末状の遺骨が付かないように、ガラスのような滑らかなポリシング処理が施され、前記フィルターの外面には、遺骨が付かないように、特殊表面処理が施された濾過布材を含んでなることを特徴とする、請求項１に記載の遺骨粉末収集装置。
【発明の詳細な説明】
【技術分野】
【０００１】
本発明は微細な粉末状に粉砕された遺骨を収集して排出する装置に係り、より詳しくは遺骨を密封処理するか、遺骨を丸形に固形処理するために、微細な粉末状に粉碎し、排出される遺骨を全て収集してから排出するようにした遺骨粉末収集装置に関するものである。
【背景技術】
【０００２】
一般に、死体を火葬した後には、その遺骨を単純に細かく粉砕（粉骨）した後、納骨容器に入れて納骨堂または納骨墓に保管することになる。
【０００３】
この際、前記粉砕された遺骨を排出する過程で、微細な粉末状の遺骨は容易に沈まないで飛散するため、多量の遺骨が損失される問題がある。特に、前記遺骨を密封処理するか、丸形に固形処理するためには、遺骨全体を微細な粉末状に形成するから、前記のような理由で、多大な量の遺骨が損失されることがあるものである。
【発明の開示】
【発明が解決しようとする課題】
【０００４】
したがって、本発明は、遺骨を密封処理するか遺骨を丸形に固形処理するために、微細な粉末状に粉碎し、排出される遺骨を全て収集してから排出する遺骨粉末収集装置を提供することにその目的がある。
【課題を解決するための手段】
【０００５】
前記目的を達成するために、本発明の遺骨粉末収集装置は、上部に空気排出口が形成され、一側には粉砕された遺骨粉末の流入口が形成され、下側には遺骨排出口が形成された状態で流入した微細粉末状の遺骨を収容するように形成されたホッパー；前記ホッパーの空気排出口をカバーし、ホッパーの内部に深く設置され、その外面に、ホッパーの内部で浮遊する微細粉末状の遺骨を収集するように形成されたフィルター；前記ホッパーの上側に設置され、フィルターを通してホッパーの内部の空気を吸入するように形成された排気ファン；前記フィルターと排気ファンの間に設置され、フィルターにパルスを発生させて、収集された遺骨粉末を振り落とすように形成されたパルスユニット；及び前記ホッパーの遺骨排出口を開閉して、収容された微細粉末状の遺骨を排出するように形成された抽出バルブ；を含んでなる。
【０００６】
前記パルスユニットは、空気圧を発生させるように形成されたエアタンク；前記空気圧を開閉するためのパルスバルブ；及び前記パルスバルブに連結され、前記フィルターに空気圧を排出するように多数のノズルが形成されたパルス管；を含んでなることができる。
【０００７】
前記抽出バルブは、前後作動によって前記ホッパーの下端の排出口を開閉するための開閉板；及び前記開閉板を前後に作動させるためのエアユニット；を含んでなることができる。
【０００８】
前記抽出バルブは、遺骨が隙間に詰まって停滞することを防止するためのバタフライ形に形成できる。
【０００９】
前記排気ファンを一定時間作動させることで、フィルターに収集された遺骨粉末を一定時間停滞させ、前記パルスユニットを作動させることで、収集された遺骨粉末をフィルターから振り落とし、前記抽出バルブを作動させることで、ホッパーから遺骨粉末を排出する一連の作動を制御するための制御部を含むことができる。
【００１０】
前記遺骨を収容し、流入口、遺骨排出口及び空気排出口を含むホッパーの内部全体には、微細粉末状の遺骨が付かないように、ガラスのような滑らかなポリシング処理が施され、前記フィルターの外面には遺骨が付かないように特殊表面処理が施された濾過布材を含むことができる。
【発明の効果】
【００１１】
本発明の遺骨粉末収集装置によれば、捕集フィルターの外面に微細な粉末状で排出される遺骨を全て収集してから排出することで、粉末状の遺骨が損失されることを防止することができる非常に有用な効果が発揮される。
【発明を実施するための最良の形態】
【００１２】
以下、本発明の好適な実施例を添付図面に基づいて詳細に説明する。
【００１３】
図１は本発明が適用された遺骨粉末収集装置を示す正断面図、図２は本発明が適用された遺骨粉末収集装置を示す左側面図、図３は本発明が適用された遺骨粉末収集装置を示す右側面図、及び図４は本発明が適用された遺骨粉末収集装置を示す平面図である。
【００１４】
本発明の遺骨粉末収集装置は、図１〜図４に示すように、大別して、空気排出口、遺骨粉末の流入口及び遺骨排出口が形成されたホッパー１００、前記ホッパーの内部に設置され、遺骨粉末を収集するように形成されたフィルター２００、前記ホッパーの内部の空気を吸入するように形成された排気ファン３００、前記フィルターに収集された遺骨粉末を振り落とすように形成されたパルスユニット４００、及び前記ホッパーの遺骨排出口を開閉するように形成された抽出バルブ５００を含んでなる。
【００１５】
前記ホッパー１００は微細粉末状に粉砕された遺骨が流入して収容される空間であって、その上部には空気排出口１２０が形成され、一側には粉砕された遺骨粉末の流入口１４０が形成され、下側には遺骨排出口１６０が形成される。この際、前記遺骨粉末が流入する流入口１４０は、ホッパー１００の下側に形成され、それから上側に傾くように延設される。すなわち、流入する遺骨粉末が流下して遺骨排出口１６０に集まるようにするものである。一方、前記流入口１４０、遺骨排出口１６０及び空気排出口１２０を含むホッパー１００の内部全体には、微細粉末状の遺骨が付かないようにガラスのような滑らかなポリシング処理をすることが好ましい。
【００１６】
前記フィルター２００は、前記ホッパー１００の空気排出口１２０をカバーし、ホッパー１００の内部に深く形成され、その外面に遺骨粉末を収集するように形成される。すなわち、前記フィルター２００は、内部の空気が排出可能であるが、流入した遺骨粉末は排出できないように形成されるものであり、このために、外面に遺骨が付かないように特殊表面処理が施された濾過布材を使用する。もちろん、前記フィルター２００の外面は、収集された遺骨粉末を、パルスを加えることで、簡便に振り落とすように処理することが好ましい。
【００１７】
前記排気ファン３００は、前記ホッパー１００の上側に設置され、フィルター２００を介してホッパー１００の内部の空気を吸いこんで排出するように形成される。すなわち、前記排気ファン３００がホッパー１００の内部の空気を吸い込むことで、流入する微細粉末状の遺骨が流入口に逆流することを防止するとともに、ホッパー１００の内部で浮遊する遺骨粉末が強制的にフィルター２００の外面に収集される。この際、前記排気ファン３００は、ホッパー１００の上端の空気排出口１２０を通して円滑に吸入されるように、通常のシロッコ（Ｓｉｒｏｃｃｏ）ファンを適用することが好ましい。
【００１８】
前記パルスユニット４００は、前記フィルター２００と排気ファン３００の間に設置され、フィルター２００に振動を発生させて、収集された遺骨粉末を振り落とすように形成される。このようなパルスユニット４００の好適な実施例において、一定の空気圧を発生させるように形成されたエアタンク４２０、前記エアタンク４２０で発生する空気圧を開閉するためのパルスバルブ４４０、及び前記パルスバルブ４４０に連結され、前記フィルター２００に空気圧を排出するように、多数のノズルが形成されたパルス管４６０から構成される。この際、前記パルスの強度は、パルスバルブ４４０とパルス管４６０の形態によって調節することができる。
【００１９】
前記抽出バルブ５００は、前記ホッパー１００の遺骨排出口１６０を開閉するように形成される。すなわち、前記フィルター２００で収集される場合には遺骨排出口１６０を遮断し、収集が完了した状態では遺骨排出口１６０を開放して排出させるようにするものである。このために、前記抽出バルブ５００は、前後作動によって前記ホッパー１００の下端の遺骨排出口１６０を開閉するための開閉板５２０、及び前記開閉板５２０を前後に作動させるためのエアユニット５４０を含んでなる。もちろん、前記エアユニット５４０にはエアシリンダーが含まれる。一方、前記抽出バルブ５００は、遺骨が隙間に詰まって停滞しないで全て排出されるように、バタフライ形に形成することができる。
【００２０】
また、本発明においては、前記排気ファン３００を一定時間作動させることで、フィルター２００に収集された遺骨粉末を一定時間停滞させ、前記パルスユニット４００を作動させることで、収集された遺骨粉末をフィルター２００から振り落とし、前記抽出バルブ４００を作動させることで、ホッパー１００から遺骨粉末を排出する一連の作動を制御するための制御部６００を含む。すなわち、前記ホッパー１００の内部の収集状態を作業者が一つ一つ確認することができないので、制御部６００によって一定時間の間隔でそれぞれの構成部が自動で作動するようにするのである。もちろん、前記制御部６００は、作業者が入力値を設定するように所定の操作盤を含む。
【００２１】
したがって、このような構成によれば、フィルター２００の外面に微細な粉末状で排出される遺骨を全て収集してから排出することになるので、粉末状の遺骨が損失されることを効果的に防止することができることになるものである。
【００２２】
以上説明したように、本発明は図面に示した実施例に基づいて説明したが、これは例示のためのものに過ぎなく、当該技術分野で通常の知識を持った者であれば、これから多様な変形及び均等の実施例が可能であることが理解可能であろう。したがって、本発明の真正な技術的保護範囲は請求範囲の技術的思想によって決められなければならない。
【産業上の利用可能性】
【００２３】
本発明は、微細な粉末状に粉砕された遺骨を収集して排出する装置に適用可能である。
【図面の簡単な説明】
【００２４】
【図１】本発明が適用された遺骨粉末収集装置を示す正断面図である。
【図２】本発明が適用された遺骨粉末収集装置を示す左側面図である。
【図３】本発明が適用された遺骨粉末収集装置を示す右側面図である。
【図４】本発明が適用された遺骨粉末収集装置を示す平面図である。
【符号の説明】
【００２５】
１００    ホッパー
１２０    空気排出口
１４０    流入口
１６０    遺骨排出口
２００    フィルター
３００    排気ファン
４００    パルスユニット
４２０    エアタンク
４４０    パルスバルブ
４６０    パルス管
５００    抽出バルブ
５２０    開閉板
５４０    エアユニット
６００    制御部
【図１】
2009195673.tif 000003
【図２】
2009195673.tif 000004
【図３】
2009195673.tif 000005
【図４】
2009195673.tif 000006